(57)【要約】【課題】外科処置中に閉塞物を素早くかつ効率よく除去する方法を提供する【解決手段】外科用器具又は手術部位から障害物を取り除くための医療用装置であって、この装置は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、ハウジング部材に取り付け可能であるように構成されている、膨張球状部と、を備え、プッシュボタンが、力によって押し下げられると、第１の中空部材を係合解除し、かつ第２の中空部材を閉塞するように構成されており、並びに／又は、プッシュボタン及び膨張球状部が、操作者の片手によって操作可能であるように構成されている、医療用装置が提供される。【選択図】図５
2019042482.tif 000002
【特許請求の範囲】
【請求項１】
医療用装置であって、
空気又は不活性ガスが通過可能であるように構成されている、第１の中空部材と、
遠位端及び近位端を有する第２の中空部材であって、前記近位端が、真空又は吸引源に接続可能であるように構成されている、第２の中空部材と、
前記第１の中空部材及び前記第２の中空部材の両方を受容するように構成されている、ハウジング部材と、
前記ハウジング部材に操作可能に接続されている、プッシュボタンと、を備え、
前記プッシュボタンが力によって押し下げられると、前記プッシュボタンが、前記第１の中空部材を係合解除し、かつ前記第２の中空部材を閉塞するように構成されている、医療用装置。
【請求項２】
前記力が除去されると、前記プッシュボタンが、前記第１の中空部材を閉塞し、かつ前記第２の中空部材を係合解除する、請求項１に記載の医療用装置。
【請求項３】
前記医療用装置が、前記ハウジング部材に取り付け可能であるように構成されている、膨張球状部を更に備える、請求項１に記載の医療用装置。
【請求項４】
前記第２の中空部材の前記遠位端が、医療用又は外科用器具に接続可能であるように構成されている、請求項１に記載の医療用装置。
【請求項５】
前記医療用又は外科用器具が、潅注ラインを備える、請求項４に記載の医療用装置。
【請求項６】
前記医療用又は外科用器具がマイクロデブリーダである、請求項４に記載の医療用装置。
【請求項７】
医療用装置であって、
空気又は不活性ガスが通過可能であるように構成されている、第１の中空部材と、
遠位端及び近位端を有する第２の中空部材であって、前記近位端が、真空又は吸引源に接続可能であるように構成されている、第２の中空部材と、
第１の区分及び第２の区分を有するハウジング部材であって、前記第１の中空部材及び前記第２の中空部材の両方を受容するように構成されている、ハウジング部材と、
前記ハウジング部材の前記第１の区分に配設されている、プッシュボタンと、
２つの開口部を有する膨張球状部であって、一方の開口部が、前記ハウジング部材の前記第２の区分に取り付けられるように構成されている、膨張球状部と、を備え、
前記膨張球状部及び前記プッシュボタンが、操作者の片手によって操作可能であるように構成されている、医療用装置。
【請求項８】
前記プッシュボタンが、力によって押し下げられると、前記第１の中空部材を係合解除し、かつ前記第２の中空部材を閉塞するように構成されている、請求項７に記載の医療用装置。
【請求項９】
前記力が除去されると、前記プッシュボタンが、前記第１の中空部材を閉塞し、かつ前記第２の中空部材を係合解除するように構成されている、請求項８に記載の医療用装置。
【請求項１０】
前記医療用装置が接続部材を更に含む、請求項７に記載の医療用装置。
【請求項１１】
前記接続部材が一方向バルブを有するように構成されている、請求項１０に記載の医療用装置。
【請求項１２】
前記接続部材が一方向ガス注入口を有するように構成されている、請求項１０に記載の医療用装置。
【請求項１３】
前記第２の中空部材が、前記膨張球状部を通って前記真空又は吸引源に接続可能であるように構成されている、請求項７に記載の医療用装置。
【請求項１４】
前記第２の中空部材が、前記膨張球状部を通らずに前記真空又は吸引源に接続可能であるように構成されている、請求項７に記載の医療用装置。
【請求項１５】
前記第２の中空部材の前記遠位端が、医療用又は外科用器具に接続可能であるように構成されている、請求項７に記載の医療用装置。
【請求項１６】
前記医療用又は外科用器具がマイクロデブリーダである、請求項１５に記載の医療用装置。
【請求項１７】
前記医療用又は外科用器具が、潅注ラインを備える、請求項１５に記載の医療用装置。
【請求項１８】
外科用システムであって、
請求項７に記載の医療用装置と、
組織を切断、切除、薄切、及び／又は除去するための外科用器具と、
真空又は吸引源と、
潅注源と、を備え、
前記医療用装置が、前記真空又は吸引源及び前記外科用器具に操作可能に接続されており、前記潅注源が、前記外科用器具に操作可能に接続されている、外科用システム。
【請求項１９】
前記外科用器具がマイクロデブリーダである、請求項１８に記載の外科用システム。
【発明の詳細な説明】
【技術分野】
【０００１】
本開示は概して、外科用器具又は手術部位から障害物を取り除くための医療用装置に関する。より具体的には、本開示は、外科処置中に外科用器具又は手術部位から障害物を取り除くために、圧搾球状部及び吸引ラインを利用する医療用装置に関する。
【背景技術】
【０００２】
組織、骨及び又はその他身体部分の薄切、切断、切除、摩耗、及び／又は除去に使用される外科用器具は既知である。組織、骨及び／又は任意のその他身体部分を切断すると、それらを手術部位から除去する必要がある。これは、典型的には、吸引源に接続された外科用器具内に提供される内側ルーメンを通して遂行される。既存の外科用器具は、手術部位から組織を吸引力するため、一方向の吸引ラインを利用する場合がある。多くの場合、組織は、吸引経路（外科用器具の遠位端が最も多い）に閉塞物を形成する。外科用器具を使用する者にとって閉塞物を除去する１つの方法は、その器具を手術部位から取り出して、切開窓内にスタイレットを挿入し、切開部分を通して閉塞物を内側ルーメンに押し込んで吸引させることである。しかしながら、これは、特に、外科医が複数の閉塞物を除去する必要がある外科処置の間、時間がかかって面倒な方法であることが多い。更に、外科用器具の除去や再挿入は、手術部位に対して外傷性である。
【０００３】
外科用器具をきれいに維持するためには、処置中に、洗浄機能、例えば潅注、吸引、又はその両方が、外科用器具に提供される、又は外科用器具と組み合わせられる場合もあり、典型的には、様々な個々のケーブル、チューブ、ライン、ポートなどを器具に接続する必要がある。しかしながら、外科用器具に接続される様々な個々のケーブル、チューブ、ライン、ポートなどは、医療処置を行う医師、つまり外科医の邪魔になることがあり、処置に不必要な追加時間、及び／又は複雑さを追加する場合がある。また、様々な個々のケーブル、チューブ、ライン、ポートなどを外科用器具に接続することによって、潅注液、吸引、又はその両方の選択的適応の制御が、難しい場合もある。
【０００４】
したがって、外科用器具からの閉塞物除去に伴う上記問題を考慮すると、外科処置中に閉塞物を素早くかつ効率よく除去する方法の開発が望まれる。
【先行技術文献】
【特許文献】
【０００５】
【特許文献１】米国特許第５，４３９，０２２号
【特許文献２】米国特許第７，２７０，６４７号
【特許文献３】米国特許出願公開第２００６／０２６４９９５号
【特許文献４】米国特許出願公開第２０１３／０２８９５９５号
【発明の概要】
【０００６】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、を備え、プッシュボタンが静止位置にあるとき、プッシュボタンが、第１の中空部材を閉塞し、かつ第２の中空部材を係合解除するように構成されている、医療用装置を提供する。
【０００７】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、を備え、プッシュボタンが力によって押し下げられると、プッシュボタンが、第１の中空部材を係合解除し、かつ第２の中空部材を閉塞するように構成されている、医療用装置を提供する。
【０００８】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、を備え、プッシュボタンが、力によって押し下げられると、第１の中空部材を係合解除し、かつ第２の中空部材を閉塞し、押し下げる力が除去される又はないとき、第１の中空部材を閉塞し、かつ第２の中空部材を係合解除するように構成されている、医療用装置を提供する。
【０００９】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、ハウジング部材に取り付け可能であるように構成されている、膨張球状部と、を備え、膨張球状部及びプッシュボタンが、操作者の片手によって操作可能であるように構成されている、医療用装置を提供する。
【００１０】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、ハウジング部材に取り付け可能であるように構成されている、膨張球状部と、を備え、プッシュボタンが、力によって押し下げられると、第１の中空部材を係合解除し、かつ第２の中空部材を閉塞し、押し下げる力が除去される又はないとき、第１の中空部材を閉塞し、かつ第２の中空部材を係合解除するように構成されており、膨張球状部及びプッシュボタンが、操作者の片手によって操作可能であるように構成されている、医療用装置を提供する。
【００１１】
一実施形態では、本開示はまた、医療用又は外科用システムを提供し、このシステムは、本明細書に記載される医療用装置と、外科用又は医療用器具と、真空又は吸引源と、潅注源と、を含む。
【００１２】
一実施形態では、本開示は更に、外科用器具又は手術部位から障害物を取り除くための方法を提供し、この方法は、空気又は不活性ガスが通過可能であるように構成されている、第１の中空部材と、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、ハウジング部材に取り付け可能であるように構成されている、膨張球状部と、を備える、医療用装置を提供することを含む。この方法はまた、組織を切断、切除、薄切、及び／又は除去するための外科用器具を提供することも含む。この方法はまた、真空又は吸引源を提供することも含む。この方法はまた、潅注源を提供することも含む。この方法はまた、本明細書に記載される医療用装置と、外科用器具と、真空又は吸引源と、潅注源との間に適切な接続をもたらすことも含む。結局は、この方法は、必要に応じて、組織の切断、切除、薄切、及び／又は除去を行う外科用器具のスイッチを入れ、必要に応じて、潅注源及び真空源のスイッチを入れ、適切な頻度でプッシュボタンを押し下げて膨張球状部を圧搾し、外科用器具又は手術部位から障害物を取り除くことによって、外科用器具又は手術部位から障害物を除去することを含む。
【図面の簡単な説明】
【００１３】
【図１】一実施形態による医療用装置の長手方向部分断面図である。
【図２】一実施形態による医療用装置の長手方向部分断面図である。
【図３】図１に示されるような静止位置にある、プッシュボタンの断面図である。
【図４】図２に示されるような完全押下位置にある、プッシュボタンの断面図である。
【図５】別の実施形態による医療用装置の斜視図である。
【図６】外科用器具に接続されている図１に示される医療用装置の斜視図である。
【発明を実施するための形態】
【００１４】
本明細書に示される説明及び説明図は、開示内容、それの原理、及びそれの現実的適用を他の当業者に知らせることが意図されている。当業者は、特定の使用についての要件に最も適し得るように、多数の形式で本開示を採用又は適用してもよい。記載されたような本開示の特定の実施形態は、本発明を網羅又は限定することが意図されていない。本発明の範囲は、上記の説明によって決定されてはならないが、添付の請求項、及びそのような請求項に権利付与されるものの均等物の全範囲によって決定されなければならない。
【００１５】
用語「一実施形態」、「実施形態」、「別の実施形態」、「いくつかの実施形態」、「他の実施形態」、及び類似の表現は、記載される実施形態が、特定の特徴、構造、又は性質を備えてもよいことを示すけれども、全ての実施形態が、特定の特徴、構造、又は性質を必ずしも備えているわけではない。更に、このような語句は、必ずしも同一の実施形態を指していない。更に、特定の特徴、構造、又は性質がある実施形態に関連して記載されるとき、明示的記載の有無に関わらず、逆のことが明らかに記載されていない限り、かかる特徴、構造、又は性質を他の実施形態に組み込むことは、当業者の知識の範囲内にあろう。すなわち、以下に説明される様々な個々の要素は、特定の組み合わせにおいて明示的に示されていなくても、当業者に理解されるように、互いに組み合わせ可能であり、他の追加的実施形態を形成、又は、記載される実施形態を補足及び／若しくは改善することが意図される。
【００１６】
冠詞「ａ」、「ａｎ」及び「ｔｈｅ」は、反対の意味が明らかに示されていない限り、１つ、又は、２つ以上（すなわち、少なくとも１つ）のその冠詞の文法的対象を指すために本明細書で用いられる。例として、「ａｎ要素」は、１つの要素又は２つ以上の要素を意味する。
【００１７】
用語「挙げられる」は、語句「挙げられるが、これらに限定されない」を意味するために本明細書で用いられ、互換的に使用される。用語「又は」は、文脈上明らかに別の意味を示していない限り、用語「及び／又は」を意味するために本明細書で用いられ、互換的に使用される。
【００１８】
用語「など」は、語句「などであるが、これらに限定されない」を意味するために本明細書で用いられ、互換的に使用される。具体的に記載しない限り、又は文脈から明白でない限り、本明細書で使用するとき、用語「約」は、当該技術分野において通常許容される範囲内、例えば平均値の標準偏差の範囲内であると理解される。
【００１９】
本明細書において、用語「近位」は、装置のユーザーに最も近い位置又は方向を意味するために使用され、用語「遠位」の反対位置又は方向である。
【００２０】
本明細書において、用語「遠位」は、装置のユーザーに最も遠い位置又は方向を意味するために使用され、用語「近位」の反対位置又は方向である。
【００２１】
本明細書において、全ての数値は、明示的指示の有無に関わらず、用語「約」によって修飾されると考えられる。数値の文脈において、用語「約」は、概して、当業者が挙げられた値と同等であると見なす（すなわち、同一の機能や結果を有する）、数値範囲を指す。多くの場合、用語「約」は、有効数字に丸めた数を含んでよい。用語「約」の別の使用（すなわち、数値以外の文脈において）は、別途記載のない限り、明細書の文脈から理解され、文脈に一致している、それらの通常かつ慣習的な定義を有すると考えてよい。更により具体的には、「約」は、述べられた値の１０％、９％、８％、７％、６％、５％、４％、３％、２％、１％、０．５％、０．１％、０．０５％、又は０．０１％以内であると理解してよい。特記がない限り、全ての範囲は、両方の終点と、終点間の全ての数とを含む。範囲に関連した「約」又は「およそ」の使用は、範囲の両端に適用される。したがって、「約１０〜３０」は、少なくとも指定の終点を含む「約１０〜約３０」を対象とするものとする。
【００２２】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、を備え、プッシュボタンが静止位置にあるとき、プッシュボタンが、第１の中空部材を閉塞し、かつ第２の中空部材を係合解除するように構成されている、医療用装置を提供する。ある実施形態では、ハウジング部材は、第１の区分及び第２の区分を有するように構成されている。ある実施形態では、プッシュボタンは、ハウジング部材の第１の区分に配設されるように構成されている。ある実施形態では、第２の中空部材の遠位端は、外科用器具に接続可能であるように構成されている。ある実施形態では、外科用器具は、潅注ラインを備える。
【００２３】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、を備え、プッシュボタンが力によって押し下げられると、プッシュボタンが、第１の中空部材を係合解除し、かつ第２の中空部材を閉塞するように構成されている、医療用装置を提供する。ある実施形態では、ハウジング部材は、第１の区分及び第２の区分を有するように構成されている。ある実施形態では、プッシュボタンは、ハウジング部材の第１の区分に配設されるように構成されている。ある実施形態では、第２の中空部材の遠位端は、外科用器具に接続可能であるように構成されている。ある実施形態では、外科用器具は、潅注ラインを備える。
【００２４】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、を備え、プッシュボタンが、力によって押し下げられると、第１の中空部材を係合解除し、かつ第２の中空部材を閉塞し、押し下げる力が除去される又はないとき、第１の中空部材を閉塞し、かつ第２の中空部材を係合解除するように構成されている、医療用装置を提供する。ある実施形態では、ハウジング部材は、第１の区分及び第２の区分を有するように構成されている。ある実施形態では、プッシュボタンは、ハウジング部材の第１の区分に配設されるように構成されている。ある実施形態では、第２の中空部材の遠位端は、外科用器具に接続可能であるように構成されている。ある実施形態では、外科用器具は、潅注ラインを備える。
【００２５】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、ハウジング部材に取り付け可能であるように構成されている、膨張球状部と、を備え、膨張球状部及びプッシュボタンが、操作者の片手によって操作可能であるように構成されている、医療用装置を提供する。ある実施形態では、膨張球状部は、２つの開口部を有するように構成されており、２つの開口部のうち一方は、ハウジング部材に取り付けられるように構成されている。ある実施形態では、膨張球状部の２つの開口部のうち一方は、一方向チェックバルブを有するように構成されている。ある実施形態では、膨張球状部の２つの開口部のうち一方は、追加の一方向ガス注入口を有するように構成されている。ある実施形態では、ハウジング部材は、第１の区分及び第２の区分を有するように構成されている。ある実施形態では、プッシュボタンは、ハウジング部材の第１の区分に配設されるように構成されている。ある実施形態では、第２の中空部材の遠位端は、外科用器具に接続可能であるように構成されている。ある実施形態では、外科用器具は、潅注ラインを備える。
【００２６】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、ハウジング部材に取り付け可能であるように構成されている、膨張球状部と、を備え、プッシュボタンが、力によって押し下げられると、第１の中空部材を係合解除し、かつ第２の中空部材を閉塞し、押し下げる力が除去される又はないとき、第１の中空部材を閉塞し、かつ第２の中空部材を係合解除するように構成されており、膨張球状部及びプッシュボタンが、操作者の片手によって操作可能であるように構成されている、医療用装置を提供する。ある実施形態では、膨張球状部は、２つの開口部を有するように構成されており、２つの開口部のうち一方は、ハウジング部材に取り付けられるように構成されている。ある実施形態では、膨張球状部の２つの開口部のうち一方は、一方向チェックバルブを有するように構成されている。ある実施形態では、膨張球状部の２つの開口部のうち一方は、追加の一方向ガス注入口を有するように構成されている。ある実施形態では、ハウジング部材は、第１の区分及び第２の区分を有するように構成されている。ある実施形態では、プッシュボタンは、ハウジング部材の第１の区分に配設されるように構成されている。ある実施形態では、第２の中空部材の遠位端は、外科用器具に接続可能であるように構成されている。ある実施形態では、外科用器具は、潅注ラインを備える。
【００２７】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の区分及び第２の区分を有するハウジング部材であって、第１の中空部材及び第２の中空部材の両方を受容するように構成されている、ハウジング部材と、ハウジング部材の第１の区分に配設されている、プッシュボタンと、２つの開口部を有する膨張球状部であって、２つの開口部のうち一方が、ハウジング部材の第２の区分に取り付けられるように構成されている、膨張球状部と、を備え、プッシュボタンが、力によって押し下げられると、第１の中空部材を係合解除し、かつ第２の中空部材を閉塞し、押し下げる力が除去される又はないとき、第１の中空部材を閉塞し、かつ第２の中空部材を係合解除するように構成されている、医療用装置を提供する。ある実施形態では、膨張球状部の別の開口部は、一方向チェックバルブを有するように構成されている。ある実施形態では、膨張球状部の別の開口部は、追加の一方向ガス注入口を有するように構成されている。ある実施形態では、第２の中空部材の遠位端は、外科用器具に接続可能であるように構成されている。ある実施形態では、外科用器具は、潅注ラインを備える。
【００２８】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の区分及び第２の区分を有するハウジング部材であって、第１の中空部材及び第２の中空部材の両方を受容するように構成されている、ハウジング部材と、ハウジング部材の第１の区分に配設されている、プッシュボタンと、２つの開口部を有する膨張球状部であって、２つの開口部のうち一方が、ハウジング部材の第２の区分に取り付けられるように構成されている、膨張球状部と、を備え、膨張球状部及びプッシュボタンが、操作者の片手によって操作可能であるように構成されている、医療用装置を提供する。ある実施形態では、膨張球状部の別の開口部は、一方向チェックバルブを有するように構成されている。ある実施形態では、膨張球状部の別の開口部は、追加の一方向ガス注入口を有するように構成されている。ある実施形態では、第２の中空部材の遠位端は、外科用器具に接続可能であるように構成されている。ある実施形態では、外科用器具は、潅注ラインを備える。
【００２９】
一実施形態では、本開示は、空気又は不活性ガスが通過可能であるように構成されている、第１の中空部材と、遠位端及び近位端を有する第２の中空部材であって、近位端が、真空又は吸引源に接続可能であるように構成されている、第２の中空部材と、第１の区分及び第２の区分を有するハウジング部材であって、第１の中空部材及び第２の中空部材の両方を受容するように構成されている、ハウジング部材と、ハウジング部材の第１の区分に配設されている、プッシュボタンと、２つの開口部を有する膨張球状部であって、２つの開口部のうち一方が、ハウジング部材の第２の区分に取り付けられるように構成されている、膨張球状部と、を備え、プッシュボタンが、力によって押し下げられると、第１の中空部材を係合解除し、かつ第２の中空部材を閉塞し、押し下げる力が除去される又はないとき、第１の中空部材を閉塞し、かつ第２の中空部材を係合解除するように構成されており、膨張球状部及びプッシュボタンが、操作者の片手によって操作可能であるように構成されている、医療用装置を提供する。ある実施形態では、膨張球状部の別の開口部は、一方向チェックバルブを有するように構成されている。ある実施形態では、膨張球状部の別の開口部は、追加の一方向ガス注入口を有するように構成されている。ある実施形態では、第２の中空部材の遠位端は、外科用器具に接続可能であるように構成されている。ある実施形態では、外科用器具は、潅注ラインを備える。
【００３０】
上記実施形態では、第１の中空部材は、２つの開放端部を有するように構成されており、その一方が膨張球状部と流体連通するように構成されており、他方が外科用器具に接続可能であるように構成されている。上記実施形態では、第１の中空部材は、プッシュボタンが静止位置にあるとき、プッシュボタンによって完全に封止、締め付け、又は閉塞するように構成されている。その結果、プッシュボタンが静止位置にあるとき、第１の中空部材は、膨張球状部との流体連通が阻止され、それによって、医療用装置の吸引機能の邪魔をしない。完全に又は機能的に封止する又は締め付けるため、第１の中空部材は、ハウジング部材の内部の溝部に配設されてよい。このようにして、第１の中空部材は垂直に拘束又は制限されるが、プッシュボタンから開放位置内に解放されると、ハウジング部材の長手方向に沿って移動可能である。当該技術分野において既知の他の拘束機構を利用することもできる。第１の中空部材は、任意の好適な高分子材料、例えばポリ塩化ビニル（ＰＶＣ）、ポリオレフィン、ポリウレタン、ポリエチレンテレフタレート（ＰＥＴ）、架橋ポリエチレン、ナイロンポリマー、又はそれらの混合物で作られてよい。第１の中空部材のジュロ硬度は、約６０Ａ〜約８０Ａ、好ましくは約６５Ａ〜約７０Ａ、又は更により好ましくは６８Ａであってよい。第１の中空部材の外径は、約３．０〜約５．０ｍｍ、好ましくは約４．０ｍｍであってよい。第１の中空部材の内径は、約１．５ｍｍ〜約３．０ｍｍ、好ましくは約２．４ｍｍであってよい。全ての上記実施形態では、第１の中空部材は、任意の好適な外形、長さ、外観、又は寸法に作製してよい。好ましくは、管状に構成される。
【００３１】
上記実施形態では、第２の中空部材は、プッシュボタンが静止位置にあるとき、完全に開放し又は完全に機能し、プッシュボタンが完全に押し下げられると、完全に封止され又は締め付けられるように、構成されている。その結果として、第１の中空部材が膨張球状部と流体連通するとき、プッシュボタンが完全に押し下げられると、第２の中空部材の吸引機能は、第１の中空部材の邪魔をしない。完全に又は機能的に封止する又は締め付けるため、第２の中空部材は、ハウジング部材の内部の溝部に配設されてよい。このようにして、第２の中空部材は垂直に拘束又は制限されるが、必要の際、又は引っ張られると、ハウジング部材の長手方向に沿って移動可能である。当該技術分野において既知の他の拘束機構を利用することもできる。第２の中空管状部材は、任意の好適な弾性又は高分子材料、例えばポリ塩化ビニル（ＰＶＣ）、ポリオレフィン、ポリウレタン、ポリエチレンテレフタレート（ＰＥＴ）、架橋ポリエチレン、ナイロンポリマー、シリコーン又はそれらの混合物で作られてよい。第２の中空部材のジュロ硬度は、約５０Ａ〜約７０Ａ、好ましくは約６０Ａであってよい。第２の中空部材の外径は、約７．０ｍｍ〜約９．０ｍｍ、好ましくは約８．０ｍｍであってよい。第２の中空部材の内径は、約３．８ｍｍ〜約５．８ｍｍ、好ましくは約４．８ｍｍであってよい。全ての上記実施形態では、第２の中空部材は、任意の好適な外形、長さ、外観、又は寸法に作製してよい。好ましくは、管状に構成される。
【００３２】
上記実施形態では、第２の中空部材は、別の方法として、近位端及び遠位端を有する吸引ラインと呼ばれる場合がある。上記実施形態では、第２の中空部材の近位端は、真空又は吸引源に接続可能であるように構成されている。上記実施形態では、第２の中空部材の近位端は、膨張球状部の内側を通って真空又は吸引源に接続可能であるように構成されてよい。上記実施形態では、第２の中空部材の近位端は、膨張球状部の内側を通らずに真空又は吸引源に接続可能であるように構成されてよい。上記実施形態では、第２の中空部材の遠位端は、外科用器具に接続可能であるように構成されてよい。上記実施形態では、第２の中空部材の遠位端は、接続部材を介して外科用器具に接続可能であるように構成されてよい。接続部材は、Ｙコネクタであってよい。接続部材は、当該技術分野において既知の別の種類であってよい。
【００３３】
上記実施形態では、ハウジング部材は、任意の好適な寸法、大きさ、外形又は外観に作製してよい。好ましくは、本明細書に記載される医療用装置の操作者が、ハウジング部材及び膨張球状部を片手だけで保持できるような寸法又は大きさで作製される。上記実施形態では、ハウジング部材は、当該技術分野において既知の任意の好適な材料、例えば高分子材料、金属材料、及びそれらの組み合わせで作製されてよい。ハウジング部材は、使い捨て又は再利用可能に作製してよく、好ましくは使い捨てに作製してよい。
【００３４】
上記実施形態では、プッシュボタンは、頭部と、柄部と、を備える。プッシュボタンの柄部は、２つのスロットを有するように構成されてよく、一方の幅は狭く、他方の方が幅広い。狭いスロットは、プッシュボタンが静止位置にあるとき、又は、第２の中空部材が使用中又は操作中であるとき、第１の中空部材を完全に又は機能的に封止、阻止、又は閉塞するように構成されている。より幅広いスロットは、第１の中空部材の外径より少なくとも幅広いように構成されており、プッシュボタンが完全に押し下げられると、第１の中空部材が完全開放構成になり、空気又は不活性ガスが内部を流れるのを可能にする。プッシュボタンの頭部は、任意の好適な寸法、大きさ、外形又は外観に作製してよい。プッシュボタンの柄部は、必要な上記２つのスロットを有する限り、任意の好適な寸法、大きさ、外形又は外観に作製してよい。
【００３５】
プッシュボタンは、押す力が除かれた後、付勢機構によって静止位置に戻るように構成されている。付勢部材は、バネ、弾力性若しくは付勢材料、弾性部材、又はこれらの組み合わせであってよい。付勢部材はバネであってよい。バネは、螺旋状コイルバネであってよい。バネは、プッシュボタンの頭部の下に位置するように構成されてよい。これは、プッシュボタンの柄部又は柄部の外側を取り巻くように構成されてよい。プッシュボタンは、操作者が、膨張球状部を長期間所望の頻度で操作するために完全に押し下げた後、ロック機構によってロック可能位置になるように構成されてよい。ロック機構は、手動の２位置バルブ（2-posisiton valve）、又は当該技術分野において既知の任意のその他機構であってよい。プッシュボタン及び付勢バネは、当該技術分野において周知の従来手段によって、ハウジング部材に操作可能に固定されてよい。
【００３６】
上記実施形態では、膨張球状部は、膨張バルーン、膨張装置、膨張ボール、圧搾ボール、圧搾球状部などと呼ばれる場合もある。上記実施形態では、膨張球状部は、任意の好適な弾性又は高分子材料、例えばポリ塩化ビニル（ＰＶＣ）、ポリオレフィン、ポリウレタン、ポリエチレンテレフタレート（ＰＥＴ）、架橋ポリエチレン、ナイロンポリマー、シリコーン又はそれらの混合物で作られてよい。膨張球状部は、任意の好適な寸法、大きさ、外形又は外観で構成されてよい。好ましくは、約３０ｃｃ〜約８０ｃｃ、より好ましくは約３５〜４５ｃｃの寸法で作製されてよい。また好ましくは、膨張球状部は、利便性よく、操作者による片手使用に適応するように構成されてよい。膨張球状部は、２つの開口部を有するように構成されてよい。２つの開口部のうち一方は、一方向チェックバルブ及び追加の一方向ガス注入口を有するように構成されている。一方向チェックバルブは、一方向ガス注入口が閉塞又は遮断されているとき／場合、外部又はガス源から膨張球状部内への滑らかな空気流を確実にするように設置される。一方向ガス注入口は、空気又は不活性ガスの膨張球状部への流入を可能にするのみであり、その逆ではない。したがって、空気又は不活性ガスが膨張球状部から追い出された後、外部空気は、圧力差により自動的に流入する。一方向ガス注入口は、必要に応じて、不活性ガスに接続可能であるように構成されてよい。一方向チェックバルブはまた、必要に応じて、不活性ガス源に接続可能であるように構成されてもよい。膨張球状部の開口部は、ハウジング部材又は中空部材に接続可能かつ適切に封止可能であるように構成されている。この接続は、接着剤、溶接又はスナップ嵌め又は当該技術分野において既知の任意のその他手段によるものであってよい。
【００３７】
いくつかの実施形態では、第１の中空部材、第２の中空部材、プッシュボタン、ハウジング部材、及び膨張球状部は、全て同じ高分子材料から作られてよい。いくつかの実施形態では、上記構成成分の全てが、使い捨て又は再利用可能に作られ、好ましくは使い捨てに作られてよい。
【００３８】
一実施形態では、本開示はまた、医療用又は外科用システムを提供し、このシステムは、本明細書に記載される医療用装置と、外科用又は医療用器具と、真空又は吸引源と、潅注源と、を含む。ある実施形態では、外科用又は医療用器具は、潅注液を供給する潅注源に接続可能であるように構成されている、潅注ラインを備える。上記実施形態では、外科用又は医療用器具は、シェーバー、マイクロデブリーダ、外科用バー、ドリル、内視鏡、内視鏡用シース、又はこれらの組み合わせであってよい。上記実施形態では、医療用又は外科用システムは、外科処置中に閉塞物又は障害物を検出するための圧力センサーを更に含む。上記実施形態では、本明細書に記載される医療用装置は、外科用又は医療用器具の遠位端を洗浄及び保護するために機能し得る。上記実施形態では、本明細書に記載される医療用装置は、画像センサー、レンズ、又は、外科用若しくは医療用器具の遠位観察端部に位置する装置を洗浄するために機能し得る。
【００３９】
上記実施形態では、潅注源は、外科用又は医療用器具に液体を供給し、移動させ、連通し、又は移入させる。潅注液は、粒子、不透明液、混入物、切断した生体組織、血液、障害物など、又はこれらの組み合わせを、シェーバー、マイクロデブリーダ、外科用バー、ドリル、内視鏡、内視鏡用シース、画像センサー、レンズ若しくは内視鏡の装置、手術部位、又はこれらの組み合わせから、移動又は洗い流すために機能し得る。操作サイクル中、液体が、連続的に、選択的に、断続的に、又は必要に応じて、外科用又は医療用器具に供給、適用、循環、移入、連通、及び／又は移動されてよい。
【００４０】
上記実施形態では、外科用又は医療用システムの真空又は吸引源は、外科用又は医療用器具から、又はそれを通って液体を引く、引き出す、連通させる、又は移動させる。真空又は吸引源は、粒子、不透明液、混入物、切断した生体組織、血液、障害物、潅注液、又はこれらの組み合わせを、外科用若しくは医療用器具、対象の場所、手術部位、又はこれらの組み合わせから、移動、除去、又は洗い流すために機能し得る。真空又は吸引源は、乾燥機能を実行し、液体部分を除去し、混入物を除去し、又はこれらの組み合わせを行うために機能し得る。真空又は吸引源は、真空ポンプ、モーターの反転、一般的な吸引源、病院の吸引源、又はこれらの組み合わせであってよい。真空又は吸引源は、１つ又は２つ以上の吸引ライン、潅注ライン、又はその両方による真空又は吸引など、十分な量の液体を引き、移動し、連通し、及び／又は引き出し、所定の量の液体を所定の時間で除去するように構成されてよい。吸引源は、１つ又は２つ以上の吸引ラインを通して、連続的、選択的、必要に応じた、又はこれらの組み合わせの真空又は吸引を、引く、移動する、連通する、及び／又は引き出すことができる。
【００４１】
上記実施形態では、潅注源、真空若しくは吸引源、又はその両方は、医療用又は外科用器具と継続的連通する、選択的連通する、又はその両方であってよい。上記実施形態では、潅注ライン及び真空又は吸引ライン（主に、本明細書に記載される医療用装置の第２の中空部材）は、同じラインであってよく、又は異なるラインであってよい。医療用又は外科用システムは、１つ又は２つ以上の制御モジュールを含んでよい。
【００４２】
一実施形態では、本開示はまた、外科用若しくは医療用器具又は手術部位から障害物を取り除くための方法を提供し、この方法は、空気又は不活性ガスが通過可能であるように構成されている、第１の中空部材と、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、を備える、医療用装置を提供することを含む。この方法はまた、ハウジング部材に接続可能であるように構成されている、圧搾球状部も提供する。この方法は更に、組織を切断、切除、薄切、及び／又は除去するための外科用器具を提供することを含む。この方法はまた、真空又は吸引源を提供することも含む。この方法はまた、潅注ライン又は源を提供することも含む。この方法は更に、医療用装置と、医療用又は外科用器具と、真空又は吸引源と、潅注ライン又は源との間に適切な接続をもたらすことを含む。結局は、この方法は、必要に応じて、組織の切断、切除、薄切、及び／又は除去を行う外科用又は医療用器具のスイッチを入れ、吸引源及び潅注源のスイッチを入れ、適切な頻度でプッシュボタンを押し下げて膨張球状部を圧搾し、外科用若しくは医療用器具又は手術部位からあらゆる障害物を除去することによって、外科用又は医療用器具から障害物を除去することを含む。
【００４３】
一実施形態では、本開示はまた、外科用器具又は手術部位から障害物を取り除くための方法も提供し、この方法は、空気又は不活性ガスが通過可能であるように構成されている、第１の中空部材と、真空又は吸引源に接続可能であるように構成されている、第２の中空部材と、第１の中空部材及び第２の中空部材の両方を受容するように構成されている、ハウジング部材と、ハウジング部材に操作可能に接続されている、プッシュボタンと、ハウジング部材に取り付け可能であるように構成されている、膨張球状部と、を備える、外科用装置を提供することを含む。この方法はまた、組織を切断、切除、薄切、及び／又は除去するための外科用器具を提供することも含む。この方法はまた、真空又は吸引源を提供することも含む。この方法はまた、潅注ライン又は源を提供することも含む。この方法はまた、医療用装置と、医療用装置と、外科用又は医療用器具と、真空又は吸引源と、潅注源又はラインとの間に適切な接続をもたらすことも含む。結局は、この方法は、必要に応じて、組織の切断、切除、薄切、及び／又は除去を行う外科用又は医療用器具のスイッチを入れ、適切な頻度でプッシュボタンを押し下げて膨張球状部を圧搾し、外科用若しくは医療用器具又は手術部位からあらゆる障害物を除去することによって、外科用又は医療用器具から障害物を除去することを含む。
【００４４】
一実施形態では、本開示はまた、外科用若しくは医療用器具又は手術部位から障害物を除去するための方法も提供し、この方法は、本明細書に記載される医療用装置と、外科用又は医療用器具と、真空又は吸引源と、潅注源と、を含む、外科用又は医療用システムを提供することを含む。この方法はまた、医療用装置と、医療用又は外科用器具と、真空又は吸引源と、潅注源との間に適切な接続をもたらすことを含む。この方法は、最終的に、必要に応じて、組織の切断、切除、薄切、及び／又は除去を行う外科用又は医療用器具のスイッチを入れ、適切な頻度でプッシュボタンを押し下げて膨張球状部を圧搾し、外科用若しくは医療用器具又は手術部位からあらゆる障害物を除去する。
【００４５】
上記実施形態では、本明細書に記載される医療用装置は、空気及び吸引力を協調的に使用し、外科用又は医療用器具からあらゆる閉塞物／障害物を効率的かつ便利に除去する。膨張球状部の圧搾／解放は、空気又は不活性ガスを利用して組織片を吹き飛ばし、外科用又は医療用器具内の経路を通過させる。プッシュボタンの押下／解放は、確実に効率よくするため、膨張球状部の圧搾／解放と協調して操作しなくてはならない。閉塞物の除去は、本明細書に記載されるような比較的単純な構造を介して、操作者の単純な動作によって達成できる。
【００４６】
上記実施形態では、膨張球状部及びプッシュボタンを、連続的に、又は同時に、又は平行して、又は別々に操作してよい。例えば、操作者は、プッシュボタンを完全押下位置で特定の時間保持し、その後、所望の頻度で連続的に膨張球状部を圧搾してよい。
【００４７】
上記実施形態では、操作サイクルは、内視鏡用シース、内視鏡、内視鏡の画像センサー、レンズ若しくは装置などの医療用器具、対象の領域若しくは場所、手術部位、又はこれらの組み合わせを洗浄及び保護するために機能し得る。操作サイクルは、医療用又は外科用器具の画像センサー、レンズ又は装置が洗浄され、それによって良好な画像を得ることができるように、十分に長いものであってよい。操作サイクルは、１つのもの、又は、異なる用途、サイクル、順序、及び／若しくは機能の組み合わせが適用され又は行われる、サイクルであってよい。操作サイクルは、潅注液及び吸引力が同時に、順次、断続的に、必要に応じて、又はこれらの組み合わせで適用され、医療用又は外科用器具を洗浄するサイクルであってよい。操作サイクルは、潅注液の適用と、その直後の吸引力の適用を含んでよい。適用サイクルは、潅注液及び吸引力の同時適用であってよい。操作サイクルは、吸引せずに、潅注液（すなわち、洗い流しサイクル、洗浄法など）の適用のみを含んでよい。操作サイクルは、潅注液を適用せずに、吸引力の適用のみを含んでよい。操作サイクルは、１つ又は２つ以上の制御モジュール、ユーザーインターフェイス、又はこれらの組み合わせによって、ユーザーが変更、調整、モニタリング、及び／又は制御してよい。
【００４８】
本開示の原理は、図面及び付随する説明によってよりよく理解され得、それらにおいて、同様の参照番号が同一又は類似の要素を示すために全体を通して使用されている。これらの図面は必ずしも一定の縮尺で描かれているわけではないことを理解されたい。図面は、例示目的だけのために示されており、本開示の範囲を限定することは意図されていない。材料、寸法、及び構成についての例が、いくつかの要素に対して含まれている。当業者であれば、提供された例の多くが好適な代替を有し、これらの代替が、また、本開示の範囲内にあると見なされなければならないことを理解するはずである。更に、特定の専門用語が、単に便宜的に本明細書で使用され、本開示についての限定と考えられてはならない。
【００４９】
図１は、本開示の一態様による医療用装置の断面図である。図１の医療用装置１００は、静止位置のプッシュボタン１０と、付勢部材１１、例えばコイルバネと、ハウジング部材２０と、第１の中空部材３０と、第２の中空部材４０と、膨張球状部５０と、を備える。
【００５０】
プッシュボタン１０及び付勢バネ１１は、ハウジング部材２０に操作可能に接続されている。ハウジング部材２０は、近位部分２１と、遠位部分２２と、を備える。あるいは、ハウジング部材２０は、第１の部分と、第２の部分と、を備える。しかし、このような表記は、ハウジング部材が、２つの部分（一方の部分がプッシュボタン１０との接続用、もう一方が膨張球状部５０との接続用）を有するように構成されていることを単に示している。ハウジング部材２０はまた、第１の中空部材３０及び第２の中空部材４０を部分的に受容するように構成されている。
【００５１】
第１の中空部材３０は、近位端３１と、遠位端３２と、を備える。プッシュボタンが静止位置にあるとき、それをハウジング部材２０に適切に配設し、プッシュボタン１０による適切、つまりしっかりとした封止又は締め付けを確実にする。それは、ハウジング部材、例えば、好適な大きさの溝部様構成内に、長手方向に沿って柔軟に移動可能であるが、垂直方向に沿って制限された可動性を有するように、受容されてよい。近位端３１は、球状部５０と流体連通するように構成され、一方遠位端３２は、医療用又は外科用器具（図示せず）に取り付け可能であるように構成されている。図１に示されるように、静止位置にあるプッシュボタン１０は、第１の中空部材３０を、第１の中空部材３０の位置３４において、空気又はガスの流れから完全に又は機能的に遮断するように構成されている。静止位置において、プッシュボタン１０はまた、第２の中空部材４０を完全開放位置にし、あらゆる潅注液を除去するため吸引の準備を整わせ、又は、第１の中空部材３０によって全く邪魔されずに、手術部位又は外科用器具からの生体材料の切断を可能にする。
【００５２】
第２の中空部材４０は、近位端４１と、遠位端４２と、を備える。プッシュボタンが最大限まで押し下げられるとき、それをハウジング部材２０に適切に配設し、プッシュボタン１０による適切、つまりしっかりとした封止又は締め付けを確実にする。それは、ハウジング部材、例えば、好適な大きさの溝部様構成内に、長手方向に沿って柔軟に移動可能であるが、垂直方向に沿って制限された可動性を有するように、受容されてよい。近位端４１は、膨張球状部５０に接続可能であるように構成され、一方遠位端４２は、医療用又は外科用器具（図示せず）に取り付け可能であるように構成されている。
【００５３】
膨張球状部５０は、一方の端部上の開口部５１と、もう一方の上の別の開口部５２と、を備える。開口部５１は、ハウジング部材２０の遠位部分２１と接続可能であるように構成され、一方開口部５２は、コネクタ６０によって封止可能であるように構成されている。開口部５１は、従来手段により、例えば、粘着剤若しくはスナップ嵌め若しくは溶接、又は当該技術分野において既知の任意のその他好適な機構により、ハウジング部材２０の近位端２１に固定又は封止されてよい。開口部５２は、従来手段により、例えば、粘着剤若しくはスナップ嵌め若しくは溶接、又は当該技術分野において既知の任意のその他好適な機構により、コネクタ６０に固定又は封止されてよい。
【００５４】
コネクタ６０は、一方向チェックバルブ６１を有するように構成されてよい。一方向チェックバルブ６１は、空気又は不活性ガスの球状部５０への流入を可能にするのみであり、その逆ではない。不活性ガスは、二酸化炭素、窒素又はその他外科処置に好適なガスであってよい。コネクタ６０は、一方向空気又は不活性ガス注入口６２を有するように構成されてよい。一方向空気又は不活性ガス注入口６２は、空気又は不活性ガスの球状部５０への流入を可能にするのみであり、その逆ではない。コネクタ６０は、好ましくは、一方向チェックバルブ及び一方向ガス注入口の両方を有するように構成されてよい。
【００５５】
図１に示されるように、第２の中空部材４０は、膨張球状部５０の内部を、開口部５１から開口部５２まで、矢印７２によって示される方向の真空又は吸引源に、真っ直ぐ通るように構成されてよい。開口部５１にあるコネクタ（図示せず）に取り付け、開口部５１へのしっかりとした接続を容易にするように構成されてもよい。同様に、コネクタ６０はまた、第２の中空部材の開口部５２へのしっかりとした接続を容易にするように構成されてもよい。一般に、第２の中空部材４０は、真空又は吸引ラインとして意図され得る。当該技術分野において既知の好適な手段によって、開口部５１及び５２を用いて、及び／又は、コネクタ６０を用いて適切に固定かつ封止するように構成されている。
【００５６】
矢印１２によって示されるような、医療用装置１００のプッシュボタン１０が最大限まで押し下げられる状況について、図２を参照する。こういう状況が起こると、プッシュボタンは、第１の中空部材３０を締め付け位置から開放位置に解放し、第２の中空部材４０を、位置４４において完全に封止するように圧搾する。第２の中空部材４０が完全に封止されると、操作者が、膨張球状部５０を矢印５３によって示される方向に圧搾する場合、続いて、空気又は不活性ガスが、第１の中空部材３０を矢印３３によって示される方向に通って流れることが可能になる。プッシュボタンの押し下げは片手で、膨張球状部の圧搾は操作者の同じ方の手で遂行できる。押し下げと圧搾は、複数回、つまり必要に応じて何度でも実施できる。すなわち、医療用装置を、プッシュボタン１０と膨張球状部５０の両方が、容易かつ便利な操作のために一般的な操作者の片手のみによって操作できるように、構成されてよい。
【００５７】
どのようにプッシュボタン１０及び付勢バネ１１が共に操作され、協調的に中空部材を締め付け、かつ解放するのかについての更なる詳細は、図３及び図４を参照する。プッシュボタン１０は、頭部部分１０ａ及び柄部部分１０ｂを有する。付勢バネ１１は、当該技術分野において既知の好適な手段によって、頭部部分１０ａの下に固定され、柄部部分１０ｂの周囲に巻かれる。本体部分１０ｂは、下方端部に狭いスロット（sot）１２と、頭部に向かうより幅広いスロット１３と、を有する。プッシュボタン１０が静止位置にあるとき、狭いスロット１２は、中空部材３０をガスの流れから完全に封止するように構成されている。第１の中空部材３０がより幅広いスロット１３内に押し込まれると、より幅広いスロット１３は、第１の中空部材３０を完全開放位置にするように構成されている。図４に示されるように、最大限まで押し込まれるとき、プッシュボタン１０は、第２の中空部材４０を完全に封止するように構成されている。図３に示されるように、プッシュボタンから押す力が除去される又はなくなると、続いて、付勢バネ１１はプッシュボタンを静止位置に戻す。
【００５８】
図５は、本開示の別の態様による医療用装置１００’を示す。図５の医療用装置１００’は、プッシュボタン１０’と、付勢バネ１１’と、ハウジング部材２０’と、第１の中空部材３０’と、第２の中空部材４０’と、膨張球状部５０’と、を備える。
【００５９】
図１及び図２について同様に説明されるように、第１の中空部材３０’は、矢印３３’によって示されるように、一方の端部で医療用又は外科用装置に接続可能であるように構成されており、他方の端部で球状部５０’と流体連通する。第２の中空部材４０’は、矢印７２’によって示されるように、一方の端部で吸引源に、矢印４３’によって示されるように、他方の端部で医療用又は外科用器具に接続可能であるように構成されている。図５は、第２の中空部材４０’が膨張球状部５０’の内部を通っていないことを示す。むしろ、膨張球状部５０’の完全に外側にある。膨張球状部５０’は、２つの開口部である５２’と、５１’（図示せず、ただし、第１の中空部材３０’と流体連通することが意図される）と、を備える。開口部５２’は、一方向ガス注入口又は一方向バルブ（図示せず）を有するように構成されている。好ましくは、膨張球状部５０’は、一方向ガス注入口及び一方向バルブを有するように構成されている。開口部５２’は、当該技術分野において既知の好適な手段によって、適切に封止され、つまり気密性があってよい。
【００６０】
また、図３及び図４について同様に説明されるように、プッシュボタン１０’は、下方端部に狭いスロットと、上方端部（図示せず）により幅広いスロットと、を有する。静止位置において、狭いスロットは、第１の中空部材３０’をガスの流れから完全に封止するように構成され、一方、プッシュボタンが最大限まで押し下げられると同時に、より幅広いスロットは、第１の中空部材を完全に開放でき、第２の中空部材４０’を完全に又は機能的に封止できるように構成されている。プッシュボタン１０’から押す力が除去される又はなくなると、続いて、付勢バネ１１’はプッシュボタンを静止位置に戻し、第１の中空部材は、その結果完全に又は機能的に締め付けられ／封止される。
【００６１】
図１及び図５に示される医療用装置では、プッシュボタン、ハウジング部材、第１の中空部材、第２の中空部材、及び膨張球状部は、プラスチック材料若しくは高分子材料で作製されてよく、又は、使い捨て若しくは再利用可能に作られてもよい。好ましくは、上記構成成分の全てが使い捨てに作られてよい。
【００６２】
図６は、外科用又は医療用器具２００にＹコネクタ８０を介して取り付けられている、医療用装置１００を示す斜視図である。医療用装置１００は、プッシュボタン１０と、ハウジング部材２０と、第１の中空部材３０と、第２の中空部材４０と、膨張球状部５０と、を備える。第１の中空部材３０は、外科用又は医療用器具２００にＹコネクタ８０の一方のアームを介して接続されるように構成され、第２の中空部材４０は、医療用又は外科用器具２００にコネクタ８０の別のアームを介して接続可能であるように構成されている。医療用又は外科用器具２００は、潅注ライン２１０を備える。医療用又は外科用器具２００は、マイクロデブリーダであってよい。
【００６３】
外科手術中、医療用装置１００は、医療用又は外科用器具２００にＹコネクタ８０を介して、かつ、矢印７２によって示されるように真空又は吸引源に取り付けられる。医療用又は外科用器具は、潅注ライン２１０を介して潅注源（図示せず）に接続される。これらのライン全てを適切に接続した後、続いて、操作者は、医療用又は外科用器具２００のスイッチを入れ、矢印７２によって示されるように真空又は吸引源に接続し、その後、膨張球状部５０を圧搾してプッシュボタン１０を押し下げ、操作中必要に応じて何度でも障害物をきれいにする、つまり脱閉塞させることができる。操作者は、所望に応じてシステム全体を簡便にかつ効率よく操作できる。
【００６４】
これらの例示の実施例は、医療用装置が、外科用切断器具に脱閉塞能をもたらすことができ得ることを開示している。また、医療用装置を用いて、洗浄装置、人工呼吸器内腔、内視鏡洗浄器などといった、圧力及び吸引力の両方を必要とし得る別の外科用装置に圧力及び吸引力を提供してよい。いくつかの外科用装置の例は、特許文献１及び特許文献２、並びに、特許文献３及び特許文献４に見いだすことができ、それらの全てをあらゆる目的で参照により本明細書に組み込む。
【００６５】
上述の説明は例証であり、限定ではないことが理解される。提供した実施例以外の多くの実施形態並びに多くの適用例が、上述の説明を読むことによって当業者には明白となるであろう。したがって、本教示の範囲は、上述の説明を参照して決定されるべきではなく、その代わりに、添付の特許請求の範囲を、かかる特許請求の範囲が権利を与えられる等価物の全範囲と共に参照して決定されるべきである。特許出願及び特許出願公開を含む全ての論文及び参考文献の開示を、あらゆる目的で参照により組み込む。以下の特許請求の範囲における、本明細書に開示する主題のあらゆる態様の省略は、かかる主題を放棄するものではなく、本発明者らがかかる主題を開示する発明の主題の一部であると見なさなかったものと考えられるべきものでもない。
【符号の説明】
【００６６】
１０  プッシュボタン
１０’  プッシュボタン
１１  付勢バネ
１１’  付勢バネ
１２  矢印
１２  スロット
１３  スロット
２０  ハウジング部材
２０’  ハウジング部材
２１  近位部分
２２  遠位部分
３０  第１の中空部材
３０’  第１の中空部材
３１  近位端
３２  遠位端
４０  第２の中空部材
４０’  第２の中空部材
４１  近位端
４２  遠位端
５０  球状部
５０’  球状部
５１  開口部
５２  開口部
５２’  開口部
６０  コネクタ
６１  一方向チェックバルブ
６２  不活性ガス注入口
８０  Ｙコネクタ
１００  医療用装置
１００’  医療用装置
２００  医療用又は外科用器具
２００  器具
２１０  潅注ライン
【図１】
2019042482.tif 000003
【図２】
2019042482.tif 000004
【図３】
2019042482.tif 000005
【図４】
2019042482.tif 000006
【図５】
2019042482.tif 000007
【図６】
2019042482.tif 000008